(57)【要約】【課題】  本発明はネットワークを使用した参拝システムに関し、特にパーソナルコンピュータを使用して仏壇供養や納骨堂墓参を行うシステムを提供するものである。【解決手段】  本発明はインターネット等のネットワークを使用し、予め会員登録した利用者からのアクセスに基づいてサーバ１から遺影画像を含む仏壇画面を表示し、選択に従って線香や献花を供え、更に読経やビデオを利用することによって容易に仏壇供養を行うことができるシステムである。また、予め会員登録した利用者からのアクセスに基づいてサーバ１から位牌画像を含む仏壇画面を表示し、選択に従って線香や献花を供え、更に読経を利用することによって容易に納骨堂の墓参を行うことができるシステムである。【選択図】図１
2006119681.tif 000002
【特許請求の範囲】
【請求項１】
ネットワークを介して接続されたサーバと、利用者の端末機器と、管理会社のデータベースと、加工制作会社のコンピュータとから成る仏壇供養システムにおいて、
前記管理会社のデータベースは、利用者の個人情報が登録された第１のデータベースと、集計データを記憶する第２のデータベースで構成され、
前記サーバは前記利用者の端末機器から入力する供養要求に対して、仏壇と遺影、及び選択された供養物を供えた表示データを前記端末機器に出力する制御手段を有し、
前記第２のデータベースには供養回数と供養物の選択回数に基づく集計結果が記録されることを特徴とする仏壇供養システム。
【請求項２】
前記集計結果は、前記サーバに残る前記利用者端末装置からのアクセスログを解析して得られることを特徴とする請求項１記載の仏壇供養システム。
【請求項３】
前記供養物は線香、又は献花、又は線香と献花であることを特徴とする請求項１、又は２記載の仏壇供養システム。                              
【請求項４】
前記供養物の他、読経又はビデオの選択ができることを特徴とする請求項３記載の仏壇供養システム。
【請求項５】
前記供養物及び読経、ビデオの加工、制作は前記加工制作会社のコンピュータを利用して行うことを特徴とする請求項３、又は４記載の仏壇供養システム。
【請求項６】
前記仏壇供養システムの利用は予め登録した利用者に配布されるパスワードとＩＤコードを使用して行うことを特徴とする請求項１、２、３、４、又は５記載の仏壇供養システム。
【請求項７】
ネットワークを介して接続されたサーバと、利用者の端末機器と、管理会社のデータベースと、加工制作会社のコンピュータとから成る納骨堂墓参システムにおいて、
前記管理会社のデータベースは、利用者の個人情報が登録された第１のデータベースと、集計データを記憶する第２のデータベースで構成され、
前記サーバは前記利用者の端末機器から入力する納骨堂墓参要求に対して、納骨堂と位牌、及び選択された供養物を供えた表示データを前記端末機器に出力する制御手段を有し、
前記第２のデータベースには供養回数と供養物の選択回数に基づく集計結果が記録されることを特徴とする納骨堂墓参システム。
【請求項８】
前記集計結果は、前記サーバに残る前記利用者端末装置からのアクセスログを解析して得られることを特徴とする請求項７記載の納骨堂墓参システム。
【請求項９】
前記供養物は線香、又は献花あることを特徴とする請求項７、又は８記載の仏壇供養システム。
【請求項１０】
前記供養物の他、読経の選択ができることを特徴とする請求項９記載の仏壇供養システム。
【請求項１１】
前記供養物及び読経の加工、制作は前記加工制作会社のコンピュータを利用して行うことを特徴とする請求項９、又は１０記載の仏壇供養システム。
【請求項１２】
前記納骨堂墓参システムの利用は予め登録した利用者に配布されるパスワードとＩＤコードを使用して行うことを特徴とする請求項７、８、９、１０、又は１１記載の納骨堂墓参システム。
【発明の詳細な説明】
【技術分野】
【０００１】
本発明は、インターネット等のネットワークを使用した仏壇供養システム、及び納骨堂墓参システムに関する。
【背景技術】
【０００２】
特許文献１は納骨堂の参拝システムであり、多くの納骨箱から参拝者の家の納骨箱を自動的に取出し、法要殿に自動搬送して気分良く参拝することができる発明である。このシステムは、例えば参拝者が檀家カードを参拝受付機に挿入することにより、当該檀家カードのＩＤコードが読み取られ、その家の納骨箱が搬送機構を駆動して法要殿まで搬送され、参拝を行うシステムである。
【特許文献１】特開平０９−１５８５４０号公報
【発明の開示】
【発明が解決しようとする課題】
【０００３】
しかしながら、上記システムを利用するためには、納骨堂に出向かなければならない。一般的に、人が亡くなると、お通夜や葬儀の他、初七日や四十九日、一周忌、三回忌等の法要を行う。これらの葬儀や法要は特別なものであり、お寺や納骨堂などに出向いて行うが、毎日の供養は自宅で行う。
【０００４】
そこで、本発明はインターネット等のネットワークを利用し、コンピュータを使用して仏壇供養や納骨堂墓参を行うことが可能なシステムを提供するものである。
【課題を解決するための手段】
【０００５】
上記課題は本発明によれば、ネットワークを介して接続されたサーバと、利用者の端末機器と、管理会社のデータベースと、加工制作会社のコンピュータとから成る仏壇供養システムにおいて、前記管理会社のデータベースは、利用者の個人情報が登録された第１のデータベースと、集計データを記憶する第２のデータベースで構成され、前記サーバは前記利用者の端末機器から入力する供養要求に対して、仏壇と遺影、及び選択された供養物を供えた表示データを前記端末機器に出力する制御手段を有し、前記第２のデータベースには供養回数と供養物の選択回数に基づく集計結果が記録される仏壇供養システムを提供することによって達成できる。
【０００６】
ここで、前記集計結果は、例えば前記サーバに残る前記利用者端末装置からのアクセスログを解析して得られる。また、前記供養物は線香、又は献花、又は線香と献花であり、上記供養物の他、読経又はビデオの選択が可能である。  また、前記供養物及び読経、ビデオの加工、制作は前記加工制作会社のコンピュータを利用して行う。さらに、前記仏壇供養システムの利用は予め登録した利用者に配布されるパスワードとＩＤコードを使用して行う。
【０００７】
一方、上記課題は本発明によれば、ネットワークを介して接続されたサーバと、利用者の端末機器と、管理会社のデータベースと、加工制作会社のコンピュータとから成る納骨堂墓参システムにおいて、前記管理会社のデータベースは、利用者の個人情報が登録された第１のデータベースと、集計データを記憶する第２のデータベースで構成され、前記サーバは前記利用者の端末機器から入力する納骨堂墓参要求に対して、納骨堂と位牌、及び選択された供養物を供えた表示データを前記端末機器に出力する制御手段を有し、前記第２のデータベースには供養回数と供養物の選択回数に基づく集計結果が記録される納骨堂墓参システムを提供することによって達成できる。
【０００８】
ここで、前記集計結果は、例えば前記サーバに残る前記利用者端末装置からのアクセスログを解析して得られる。また、前記供養物は線香、又は献花、又は線香と献花であり、上記供養物の他、読経の選択が可能である。
【０００９】
また、前記供養物及び読経の加工、制作は前記加工制作会社のコンピュータを利用して行う。さらに、前記納骨堂墓参システムの利用は予め登録した利用者に配布されるパスワードとＩＤコードを使用して行う。
【発明の効果】
【００１０】
本発明によれば、納骨堂やお墓に出向くことなく、インターネット等のネットワークを利用してコンピュータの表示画面に仏壇や納骨堂を表示して行うことができ、極めて便利な仏壇供養システム及び納骨堂墓参システムを提供することができる。
【００１１】
また、アクセスログに基づいて、仏壇供養や納骨堂墓参の回数を計数し、供養物毎の選択回数を集計し、利用者への料金計算を容易に行うことができる。
【発明を実施するための最良の形態】
【００１２】
以下、本発明の実施の形態を図面を参照しながら説明する。
（実施形態１）
図１は、本実施形態のネットワークを使用した仏壇供養システムを説明する図である。同図において、本システムはサーバ１、利用者の所有する端末機器（例えば、パーソナルコンピュータ（ＰＣ））２、運営会社のデータベース３、及び加工制作会社のコンピュータ４で構成されている。尚、上記サーバ１や端末機器２、データベース３、コンピュータ４はインターネット等のネットワークで接続されている。
【００１３】
図２は上記サーバ１や端末機器２、データベース３、コンピュータ４の基本構成を示す模式図である。同図において、コンピュータはＣＰＵ６、ＲＯＭ７、ＲＡＭ８等で構成され、ＲＯＭ７に記憶されたプログラムに従って処理を行い、必要に応じてコンピュータに接続された記録装置９にアクセスする。
【００１４】
また、ディスプレイ１０には必要な情報が表示され、通信回線を介して情報の授受が行われる。尚、本例のシステム制御はＲＯＭ７に記憶されたプログラムに従って実行されるが、同図に示すようにコンピュータに配設されたメディアドライバ１１にＣＤ−ＲＯＭ、フレキシブルディスク、ＭＯ等の記録媒体１２を装着し、この記録媒体１２から上記プログラムを読み出して使用する構成としてもよい。
【００１５】
次に、上記構成において、本例の処理動作を説明する。
先ず、利用者（例えば、利用者Ａ）は、本システムへの加入申し込みを行う（図１に示す（１））。この時、利用者は故人の名前、連絡先、メールアドレス、宗派の情報を入力し、サーバ１に送信する。
【００１６】
サーバ１ではディレクトリを確保すると共に、上記情報をメールに添付して管理会社のデータベース３に送信する（図１に示す（２））。図３はデータベース３の構成を示す図であり、データベース３は上記個人情報を記録するデータベース３ａ（同図（ａ））と、後述するデータ集計情報を記録するデータベース３ｂ（同図（ｂ））で構成されている。尚、データベース３ｂの構成については後述する。
【００１７】
データベース３ａは、「利用者コード」、「利用者名」、「住所」、「電話番号」、「メールアドレス」、「宗派」の各記憶エリアで構成され、サーバ１を介して供給される個人情報に基づいて記録される。例えば、前述の端末機器２を操作して申し込みがあり、「利用者名」が〇〇〇であり、「住所」が東京都世田谷区・・・であり、「電話番号」が０３−１２３−・・・であり、「メールアドレス」がａｂｃ＠ｄｅ・・・であり、「宗派」が曹洞宗である場合、同図に示すデータベース３ａの「利用者コード」“００１”のエリアに上記情報が登録される。
【００１８】
また、例えば「利用者名」が△△△であり、「住所」が神奈川県川崎市・・・であり、「電話番号」が０４４−１２３−・・・であり、「メールアドレス」がｆｇｈ＠ｉｊ・・・であり、「宗派」が真言宗である場合、データベース３ａの「利用者コード」“００２”のエリアに上記情報が登録される。以下同様にして、例えば申し込み順に個人情報が管理会社のデータベース３ａに登録される。
【００１９】
次に、管理会社は取得した情報に基づいて担当者を利用者Ａの住所に向かわせ、故人の遺影（フォト）を借り、例えば遺影の画像をスキャナーで読み取る（図１に示す（３））。この情報は管理会社を介して加工制作会社のコンピュータ４に送られる（図１に示す（４））。
【００２０】
加工制作会社では、送信された遺影の画像データ（フォトデータ）を加工し、サーバ１の送信する（図１に示す（５））。また、前述の宗派の情報に基づいて対応する読経の音声データをサーバ１に送信する（図１に示す（５））。例えば、前述の「利用者コード」“００１”の場合、曹洞宗で使用する読経をサーバ１に送信し、「利用者コード」“００２”の場合、真言宗で使用される読経をサーバ１に送信する。
【００２１】
さらに、後述する献花の画像データをサーバ１に送信する（図１に示す（５））。尚、上記読経の音声データや献花の画像データは加工制作会社のコンピュータ４を利用して制作するが、必要に応じてネットワークを利用して専門のプロバイダから供給を受けてもよい。
【００２２】
上記処理によってサーバ１には利用者（契約者）毎にディレクトリが形成され、パスワード（及びＩＤコード）によってアクセスが可能である。例えば、図１に示すディレクトリＡには「利用者コード」“００１”の情報が記録され、「利用者名」○○○の遺影画像と、「宗派」曹洞宗で使用する読経データ、及び献花の画像データがリンクされる。また、図１に示すディレクトリＢには「利用者コード」“００２”の情報が記録され、「利用者名」△△△の遺影画像と、「宗派」真言宗で使用する読経データ、及び献花の画像データがリンクされる。以下、ディレクトリＣには「利用者コード」“００３”の情報が記録され、ディレクトリＤには「利用者コード」“００４”の情報が記録される。
【００２３】
尚、上記説明では端末機器２を利用した申し込み方法について説明したが、図１に示す利用者Ｂのように、前述の個人情報を直接担当者に通知し、遺影画像（フォト）と共に、管理会社が必要な個人情報をマニュアル入力する構成としてもよい（図１に示す（１０）、（１１））。また、上記パスワード（ＩＤ）は取得したメールアドレスに基づいて利用者に送信し、又は書留郵便等によって利用者に通知する。
【００２４】
次に、上記設定に基づいて、本システムによる仏壇供養方法を説明する。図４は本例の処理を説明するフローチャートであり、図５は対応する画面遷移図である。
先ず、利用者（利用者Ａ）は、パーソナルコンピュータ１を操作し、本システムのウェブ（Ｗｅｂ）ページを選択する（ステップ（以下、ＳＴで示す）１）。図６は本システムのウェブ（Ｗｅｂ）ページのホーム画面であり（図１に示す（６））、仏壇ネット参拝システムと、納骨堂ネット参拝システムの入力画面が表示される（ＳＴ２、図５に示すａ）。尚、本例の入力画面には納骨堂えにしの苑や、画面右側に表示されるリンクボタンがあり、利用者は必要に応じて参照することができる。
【００２５】
本実施形態１は、仏壇ネット参拝システムを利用するものであり、仏壇ネット参拝システムを選択すると共に、対応する会員ログインボタンをチェックする（ＳＴ３がＹＥＳ）。この操作により、図７に示す会員ログイン画面が表示される（ＳＴ４、図５に示すｂ）。
【００２６】
ここで、利用者が既に取得したパスワード、及びユーザーＩＤを入力する。そして、会員ログイン画面に表示される「ＯＫ」ボタンをチェックし、サーバ１にアクセスする（ＳＴ５がＹＥＳ、図１に示す（７））。
【００２７】
サーバ１は入力した上記パスワードとユーザーＩＤを確認し、登録された会員のパスワード及びユーザーＩＤであれば、対応するディレクトリのデータを読み出し、利用者Ａの画像情報を端末機器２に送信する（ＳＴ６）。この時送信するデータはイントロ画面であり、仏壇画面に故人の遺影とお花を備えた薄い画像である。図８はこのイントロ画面を示す図である（図５に示すｃ）。また、この画面の左下には「線香」、「献花」、「線香・献花」の各ボタンが表示されている。
【００２８】
次に、利用者は上記ボタンから必要なものを選択する（ＳＴ７がＹＥＳ）。例えば、「線香」のみを利用する場合には「線香」のボタンをチェックし、「献花」のみを利用する場合には「献花」のボタンをチェックし、「線香」及び「献花」の両方を利用する場合には「線香・献花」のボタンをチェックする（図５に示すｄ）。
【００２９】
ここで、例えば利用者が「線香」を選択した場合、図９に示す画面が表示され、遺影画像が表示された仏壇画面に線香が供えられている（ＳＴ８）。また、この画面の右下には「読経」及び「ビデオ」のボタンが表示され、利用者は何れかを選択することができる。例えば、「読経」を選択すると、対応する宗派のお経が流れる。一方、「ビデオ」を選択すると、予め登録した故人のビデオ画像が放映される（図５に示すｉ）。尚、お経を流す際には図１０に示すように住職の顔写真も同時表示される（図５に示すｈ）。
【００３０】
したがって、利用者は端末機器２に表示される仏壇画面（遺影）を見ながら故人の供養を行うことができ、その際線香が供えられ、指定すれば読経を流すことができ、更にビデオを流して故人を偲びながら供養することもできる。例えば、前述の「利用者コード」“００１”の場合、曹洞宗のお経を流し、更にビデオ放映することによってより臨場感のある供養を行うことができる。
【００３１】
一方、利用者が「献花」を選択した場合、図１１に示す画面が表示され、仏壇画面にお花が供えられる。また、この画面の右下には前述と同様、「読経」及び「ビデオ」のボタンが表示され、利用者は何れかを選択することができる。例えば、「読経」を選択すると、対応する宗派のお経が流れる。一方、「ビデオ」を選択すると予め記録した故人のビデオ画像が放映される。
【００３２】
したがって、利用者は端末機器２に表示される仏壇画面の遺影を見ながら故人の供養を行うことができ、その際お花が供えられ、指定すれば読経を流すことができ、更にビデオを流して故人を偲びながら供養することができる。
【００３３】
さらに、同様にして利用者が「線香・献花」を選択した場合、図１２に示す画面が表示され、仏壇画面に線香とお花が供えられ、画面の右下には前述と同様、「読経」及び「ビデオ」のボタンが表示される。したがって、利用者は何れかを選択することができ、例えば、「読経」を選択すると対応する宗派のお経が流れ、「ビデオ」を選択すると予め記録した故人のビデオ画像が放映される。
【００３４】
したがって、利用者は端末機器２に表示される仏壇画面の遺影を見ながら故人の供養を行うことができ、その際線香やお花が供えられ、指定すれば読経を流すことができ、更にビデオを流して故人を偲びながら供養することもできる。
【００３５】
以上のように、本例によればインターネット等のネットワークを利用して遺影が飾られた仏壇を表示し、故人（先祖）の供養を行うことができ、例えば老人や足の不自由な人にとっても有効な手段となる。
【００３６】
一方、上記処理によってサーバ１には利用者からのアクセスログデータが蓄積される（図１に示す（８））。このアクセスログデータは、例えば月末等にログ解析が行われ、各ページのアクセスデータが集積される（図１に示す（９））。
【００３７】
例えば、図３（ｂ）はその一例を示すものであり、「利用者コード」“００１”の集計情報である。この場合、「線香」が２５回、「献花」が３回、「線香・献花」が１５回、「ビデオ」が０回、「読経」が３回であり、管理会社では上記情報を基にその月の請求書を作成し、利用者（例えば、利用者Ａ）に送る（図１に示す（１２））。
【００３８】
以上のように処理することにより、利用者に対する料金請求を容易に行うことができる。
（実施形態２）
次に、本発明の実施形態２について説明する。
【００３９】
本例はネットワークを使用した納骨堂墓参システムであり、以下具体的に説明する。
図１３は、本実施形態のネットワークを使用した納骨堂墓参システムの処理動作を説明する画面遷移図であり、利用者（例えば、利用者Ａ）は、予め本システムへの加入申し込みを済ませ、パスワード、及びユーザーＩＤを取得した者である。
【００４０】
先ず、利用者（利用者Ａ）は、パーソナルコンピュータ１を操作し、前述と同様本システムのウェブ（Ｗｅｂ）ページを選択し（ＳＴ１）、前述の図６に示すホーム画面を表示する（ＳＴ２、図１３に示すａ）。そして、本実施形態２では納骨堂墓参システムを利用するものであり、納骨堂墓参システムを選択すると共に、対応する会員ログインボタンをチェックする（ＳＴ３がＹＥＳ）。この操作により、前述の図７に示す会員ログイン画面が表示される（ＳＴ４、図１３に示すｂ）。
【００４１】
ここで、利用者は既に取得したパスワード、及びユーザーＩＤを入力し、「ＯＫ」ボタンをチェックして、サーバ１にアクセスする（ＳＴ５がＹＥＳ）。サーバ１は入力した上記パスワードとユーザーＩＤを確認し、登録された会員のパスワード及びユーザーＩＤであれば、対応するディレクトリのデータを読み出し、利用者Ａの端末機器２に画像データを送信する（ＳＴ６）。この時送信するデータは、イントロ画面のデータであり、納骨堂の墓参画面に位牌が表示された薄い画像である。図１４はこのイントロ画面を示す図である（図１３に示すｃ）。また、この画面の左下には「線香」、「献花」、「線香・献花」の各ボタンが表示される。
【００４２】
次に、利用者は上記ボタンから必要なものを選択する（ＳＴ７がＹＥＳ）。例えば、「線香」のみを利用する場合には「線香」のボタンをチェックし、「献花」のみを利用する場合には「献花」のボタンをチェックし、「線香」及び「献花」の両方を利用する場合には「線香・献花」のボタンをチェックする（図１３に示すｄ）。
【００４３】
ここで、例えば利用者が「線香」を選択した場合、図１５に示す画面が表示され（ＳＴ８）、更に納骨堂の墓参画面を拡大表示し、図１６に示すように位牌近傍を拡大表示する。また、両画面の右下には「読経」のボタンが表示され、利用者が選択することによって、対応する宗派のお経が流れる。尚、本例においても、読経を流す際、住職の顔写真も同時に表示する（図１３に示すｈ）。
【００４４】
したがって、利用者は端末機器２に表示される納骨堂の墓参画面を見ながら故人の供養を行うことができ、その際線香が供えられ、指定すれば読経を流すことができ、極めて臨場感ある供養を行うことができる。例えば、前述の「利用者コード」“００１”の場合、曹洞宗のお経が流れ、意義のある供養を行うことができる。
【００４５】
一方、利用者が「献花」を選択した場合、図１７に示す画面が表示され、納骨堂の墓参画面の両側にお花が供えられる。尚、この場合にも、更に納骨堂の墓参画面を拡大表示し、位牌近傍を拡大することもできる。また、両画面の右下には「読経」のボタンが表示され、利用者が選択することによって、対応する宗派の読経を流すこともできる。
【００４６】
さらに、同様にして利用者が「線香・献花」を選択した場合、図１８に示す画面が表示され、仏壇画面に線香が供えられ、両側にお花が供えられる。この場合にも、利用者の選択によって自己の宗派の読経を聞きながら、納骨堂の墓参を行うこともできる。
【００４７】
以上のように、本例によればインターネット等のネットワークを利用して納骨堂の墓参を行うことができ、例えば老人や足の不自由な人にとって有効な手段である。また、月命日等の墓参にも便利である。
【００４８】
一方、上記処理によってサーバ１には利用者からのアクセスログデータが蓄積される（図１に示す（８））。このアクセスログデータは前述と同様、例えば月末等にログ解析が行われ、各ページのアクセスデータが集積される。したがって、利用者に対する料金請求を容易に行うことができる。
【００４９】
（実施形態３）
次に、その他の実施形態について説明する。
本例は上記のように、仏壇供養システム、及び納骨堂墓参システムについて説明したが、例えば神社の参拝や各種新興宗教の参拝システムに適用することもできる。
【００５０】
また、本例の説明では利用者の使用する端末機器として、パーソナルコンピュータ（ＰＣ）の例で説明したが、ＰＤＡ（personal digital assistants）や、携帯電話機、電子手帳等の通信機能付き携帯端末装置であれば適用可能である。
【００５１】
さらに、ネットワークはインターネットに限らず、ＬＡＮ（ローカルエリアネットワーク）を使用し、又は一部に専用回線を使用する構成としてもよい。
【図面の簡単な説明】
【００５２】
【図１】本実施形態のネットワークを使用した仏壇供養システムを示す図である。
【図２】サーバや端末機器等の基本構成を示す模式図である。
【図３】データベースの構成を説明する図である。
【図４】実施形態１の処理を説明するフローチャートである。
【図５】実施形態１の処理を説明する画面遷移図である。
【図６】ウェブ（Ｗｅｂ）ページのホーム画面を示す図である。
【図７】会員ログイン画面を示す図である。
【図８】実施形態１のイントロ画面を示す図である。
【図９】線香を選択した場合の仏壇画面を示す図である。
【図１０】住職の顔写真を示す図である。
【図１１】献花を選択した場合の仏壇画面を示す図である。
【図１２】線香と献花を選択した場合の仏壇画面を示す図である。
【図１３】本実施形態のネットワークを使用した骨堂墓参システムを示す図である。
【図１４】実施形態２のイントロ画面を示す図である。
【図１５】線香を選択した場合の納骨堂画面を示す図である。
【図１６】図１５の一部拡大図である。
【図１７】献花を選択した場合の納骨堂画面を示す図である。
【図１８】線香と献花を選択した場合の納骨堂画面を示す図である。
【符号の説明】
【００５３】
１      サーバ
２      端末機器
３      管理会社のデータベース
３ａ、３ｂ      データベース
４      制作加工会社のコンピュータ
６      ＣＰＵ
７      ＲＯＭ
８      ＲＡＭ
９      記録装置
１０      ディスプレイ
１１      メディアドライバ
１２      記録媒体
【図２】
2006119681.tif 000003
【図３】
2006119681.tif 000004
【図４】
2006119681.tif 000005
【図１】
2006119681.tif 000006
【図５】
2006119681.tif 000007
【図６】
2006119681.tif 000008
【図７】
2006119681.tif 000009
【図８】
2006119681.tif 000010
【図９】
2006119681.tif 000011
【図１０】
2006119681.tif 000012
【図１１】
2006119681.tif 000013
【図１２】
2006119681.tif 000014
【図１３】
2006119681.tif 000015
【図１４】
2006119681.tif 000016
【図１５】
2006119681.tif 000017
【図１６】
2006119681.tif 000018
【図１７】
2006119681.tif 000019
【図１８】
2006119681.tif 000020